(57)【要約】【課題】液晶表示装置のおけるフィールドスルー電圧に起因するフリッカーや液晶の焼き付きの発生を低減するとともに、垂直クロストークやディスクリネーションの発生を抑制して、表示画質の向上及び液晶表示パネルの特性劣化の低減を図ることができる表示駆動装置及びその駆動制御方法を提供する。【解決手段】液晶表示装置は、概略、周知の液晶表示パネル１０、走査ドライバ２０、データドライバ３０、表示信号生成回路５０に加え、液晶表示パネル１０を構成する各表示画素に設けられた補助容量に所定のタイミングで補助容量駆動電圧を供給する補助容量ドライバ６０と、表示信号生成回路５０から供給されるタイミング信号に基づいて、走査ドライバ２０、データドライバ３０及び補助容量ドライバ６０における各動作タイミングを制御するための制御信号を生成、出力するシステムコントローラ４０と、を備えた構成を有している。【選択図】  図１
2004240263.tif 000002
【特許請求の範囲】
【請求項１】
表示データに応じた表示信号電圧が印加される画素容量と、該画素容量に並列に接続され、前記表示信号電圧に基づく電荷を保持する補助容量と、を有する表示画素が２次元配列された表示パネルに対して、各行の前記表示画素を順次選択状態に設定し、前記表示データに基づく表示信号電圧を印加することにより、各表示画素に充填された液晶分子の配向状態を制御して、所望の画像情報を表示する表示駆動装置において、
前記補助容量に、前記各行の表示画素を選択状態に設定する第１のタイミング、及び、該第１のタイミングに対して所定時間遅延した第２のタイミング、で変化する駆動電圧を印加するようにしたことを特徴とする表示駆動装置。
【請求項２】
前記表示パネルは、行方向に配設された複数の走査ライン及び複数の補助容量駆動ラインと、列方向に配設された複数のデータラインと、前記複数の走査ライン及びデータラインの各交点近傍に前記表示画素が配列され、
前記表示画素は、前記走査ラインにゲート電極が接続され、前記データラインにドレイン電極が接続され、前記画素容量及び前記補助容量の一方の電極を構成する画素電極にソース電極が接続された画素トランジスタと、前記画素容量の他方の電極を構成し、一定電圧からなるコモン信号電圧が印加される共通電極と、前記補助容量の他方の電極を構成し、前記補助容量駆動ラインを介して前記駆動電圧が印加される補助電極と、を備えていることを特徴とする請求項１記載の液晶駆動装置。
【請求項３】
前記液晶駆動装置は、
前記第１のタイミングで、前記各行の走査ラインに走査信号を順次印加して、各行の前記表示画素を選択状態に設定する走査ドライバと、
前記各列のデータラインに前記表示信号電圧を印加して、前記選択状態に設定された行の各表示画素に前記表示信号電圧を書き込むデータドライバと、
前記補助容量駆動ラインに、前記第１のタイミング、及び、該第１のタイミングに対して所定時間だけ遅延した前記第２のタイミング、で変化する前記駆動電圧を印加して、前記補助容量に蓄積された電荷量を制御する補助容量ドライバと、
を備えていることを特徴とする請求項２記載の表示駆動装置。
【請求項４】
前記表示画素に充填された前記液晶分子に印加される電圧は、前記データラインに印加される前記表示信号電圧と、前記液晶分子特有の配向特性に基づくしきい値電圧との和からなる電圧値に設定されていることを特徴とする請求項２に記載の表示駆動装置。
【請求項５】
前記駆動電圧の、前記第１のタイミングでの第１の電圧変化量と、前記第２のタイミングでの第２の電圧変化量と、が異なることを特徴とする請求項１記載の液晶駆動装置。
【請求項６】
前記第２のタイミングは、前記第１のタイミングに対して、各行の前記表示画素を選択状態に保持する選択期間の所定数倍の時間だけ遅延したタイミングであることを特徴とする請求項１記載の表示駆動装置。
【請求項７】
前記駆動電圧は、前記表示画素に充填された前記液晶分子特有の配向特性と前記補助容量に基づく第１の電圧成分、及び、前記走査信号の電圧振幅と前記補助容量に基づく第２の電圧成分からなる電圧であることを特徴とする請求項１乃至６のいずれかに記載の表示駆動装置。
【請求項８】
前記駆動電圧は、前記第１のタイミングで、前記第２の電圧成分に相当する電圧分低下し、前記第２のタイミングで、前記第１の電圧成分、及び、前記第２の電圧成分からなる電圧分、前記表示信号電圧と同極性に変化する電圧であることを特徴とする請求項７記載の表示駆動装置。
【請求項９】
前記第１の電圧成分は、前記液晶分子特有の配向特性に基づくしきい値電圧と前記補助容量に基づく電圧値に設定されていることを特徴とする請求項７又は８のいずれかに記載の表示駆動装置。
【請求項１０】
前記表示パネルを構成する前記表示画素は、各々、前記画素電極と前記データライン間に前記補助容量駆動ラインが電気的に介在する構成を有し、前記画素電極と前記共通電極間に生じる電界と、前記補助容量駆動ラインと前記共通電極間に生じる電界が、同一の極性を有するように設定されていることを特徴とする請求項１乃至９のいずれかに記載の表示駆動装置。
【請求項１１】
前記表示パネルを構成する前記表示画素に設けられる前記画素トランジスタは、前記ゲート電極が、前記ソース電極及び前記ドレイン電極が接続される半導体層に対して、前記画素電極と同一側に設けられ、かつ、前記補助容量駆動ラインと同一の層に設けられた構成を有していることを特徴とする請求項１０記載の表示駆動装置。
【請求項１２】
表示データに応じた電圧が印加される画素容量と、該画素容量に並列に接続され、前記表示信号電圧に基づく電荷を保持する補助容量と、を有する表示画素が２次元配列された表示パネルに対して、各行の前記表示画素を順次選択状態に設定し、前記表示データに基づく表示信号電圧を印加することにより、各表示画素に充填された液晶分子の配向状態を制御して、所望の画像情報を表示する表示駆動装置の駆動制御方法において、
第１のタイミングで前記各行の表示画素に走査信号を順次印加して、選択状態に設定し、該表示画素が選択状態に保持される前記選択期間に、前記画素容量の一方の電極を構成する画素電極に前記表示信号電圧を印加するとともに、前記画素容量の他方の電極を構成する共通電極に一定電圧からなるコモン信号電圧を印加する手順と、
前記補助容量に、前記第１のタイミング、及び、該第１のタイミングに対して、前記表示画素が選択状態に保持される選択期間の所定数倍の時間だけ遅延した第２のタイミング、で変化する駆動電圧を印加する手順と、
を含むことを特徴とする表示駆動装置の駆動制御方法。
【請求項１３】
前記駆動電圧は、前記第１のタイミングと前記第２のタイミングでの電圧変化量が異なるように設定されていることを特徴とする請求項１２記載の液晶駆動装置の駆動制御方法。
【請求項１４】
前記駆動電圧は、前記表示画素に充填された前記液晶分子特有の配向特性と前記補助容量に基づく第１の電圧成分、及び、前記走査信号の電圧振幅と前記補助容量に基づく第２の電圧成分、からなる電圧幅で変動するように設定されていることを特徴とする請求項１２記載の表示駆動装置の駆動制御方法。
【請求項１５】
前記表示駆動装置の駆動制御方法は、前記駆動電圧を、前記第１のタイミングで前記第２の電圧成分に相当する電圧分低減させ、前記第２のタイミングで、前記第１の電圧成分、及び、前記第２の電圧成分からなる電圧分、前記表示信号電圧と同極性に変化させる手順を含むことを特徴とする請求項１４記載の表示駆動装置の駆動制御方法。
【請求項１６】
前記表示画素に充填された前記液晶分子に印加される電圧は、前記表示信号電圧と前記液晶分子特有の配向特性に基づくしきい値電圧との和からなる電圧値に設定されていることを特徴とする請求項１２乃至１５のいずれかに記載の表示駆動装置の駆動制御方法。
【請求項１７】
前記第１の電圧成分は、前記液晶分子特有の配向特性に基づくしきい値電圧と前記補助容量に基づく電圧値に設定されていることを特徴とする請求項１４乃至１６のいずれかに記載の表示駆動装置の駆動制御方法。
【発明の詳細な説明】
【０００１】
【発明の属する技術分野】
本発明は、表示駆動装置及びその駆動制御方法に関し、特に、アクティブマトリクス型の駆動方式を採用した液晶表示装置における表示画質の改善や液晶の劣化等を抑制する表示駆動装置及びその駆動制御方法に関する。
【０００２】
【従来の技術】
近年、普及が著しいデジタルビデオカメラやデジタルスチルカメラ等の撮像機器や、携帯電話、携帯情報端末（ＰＤＡ）には、画像や文字情報等を表示するための表示装置として、また、コンピュータ等の情報端末やテレビジョン等の映像機器のモニタやディスプレイとしても、薄型軽量で、低消費電力化が可能であり、表示画質にも優れた液晶表示装置（Ｌｉｑｕｉｄ  Ｃｒｙｓｔａｌ  Ｄｉｓｐｌａｙ；ＬＣＤ）が多用されている。
【０００３】
以下、従来技術における液晶表示装置について、簡単に説明する。
図１３は、従来技術における薄膜トランジスタ（ＴＦＴ）型の液晶表示装置の概略構成を示すブロック図であり、図１４は、従来技術における液晶表示パネルの一例を示す等価回路図である。
【０００４】
図１３、図１４に示すように、液晶表示装置は、概略、表示画素Ｐｘが２次元配列された液晶表示パネル（表示パネル）１１０と、該液晶表示パネル１１０の各行の表示画素Ｐｘ群を順次走査して選択状態に設定する走査ドライバ（ゲートドライバ）１２０と、選択状態に設定された行の表示画素Ｐｘ群に、映像信号に基づく表示信号電圧を一括して出力するデータドライバ（ソースドライバ）１３０と、走査ドライバ１２０及びデータドライバ１３０における動作タイミングを制御するための制御信号（水平制御信号、垂直制御信号等）を生成、出力するシステムコントローラ１４０と、映像信号から各種タイミング信号（水平同期信号、垂直同期信号、コンポジット同期信号等）を抽出してシステムコントローラ１４０に出力するとともに、輝度信号からなる表示データを生成してデータドライバ１３０に出力する表示信号生成回路１５０と、システムコントローラ１４０により生成される極性反転信号ＦＲＰに基づいて、液晶表示パネル１１０の各表示画素Ｐｘに共通に設けられた共通電極（対向電極）に対して、所定の電圧極性を有するコモン信号電圧Ｖｃｏｍを印加するコモン信号駆動アンプ（駆動アンプ）１６０と、を有して構成されている。
【０００５】
ここで、液晶表示パネル１１０は、対向する透明基板間に、例えば、図１４に示すように、行列方向に互いに直交するように配設された複数の走査ラインＳＬ及び複数のデータラインＤＬと、該走査ラインＳＬ及びデータラインＤＬの各交点近傍に配置された複数の表示画素（液晶表示画素）Ｐｘと、を備えて構成されている。各表示画素Ｐｘは、画素電極とデータラインＤＬ間にソース−ドレイン（電流路）が接続され、走査ラインＳＬにゲート（制御端子）が接続された画素トランジスタＴＦＴと、画素電極と各表示画素Ｐｘに共通に設けられた単一の共通電極（対向電極：コモン信号電圧Ｖｃｏｍ）、画素電極と共通電極の間に充填、保持された液晶分子からなる画素容量（液晶容量）Ｃｌｃと、画素電極側が共通に接続されるとともに、画素容量Ｃｌｃに並列に構成され、画素容量Ｃｌｃに印加された信号電圧を保持するための補助容量（蓄積容量）Ｃｓと、を備えた構成を有している。なお、補助容量Ｃｓの他端側の電極（補助電極）は、共通の接続ラインＣＬを介して所定の電圧Ｖｃｓ（例えば、コモン信号電圧Ｖｃｏｍ）が印加されるように構成されている。
【０００６】
このような構成を有する液晶表示装置において、ＬＣＤコントローラ１４０から供給される水平制御信号に基づいて、データドライバ１３０により液晶表示パネル１１０の１行分の表示データが順次取り込み保持される。一方、ＬＣＤコントローラ１４０から供給される垂直制御信号に基づいて、走査ドライバ１２０により液晶表示パネル１１０に配設された各走査ラインＳＬに走査信号を順次印加して各行の表示画素Ｐｘ群が選択状態に設定される。そして、データドライバ１３０は、各行の表示画素Ｐｘ群の選択タイミングに同期して、上記保持した表示データに対応する表示信号電圧を、各データラインＤＬを介して各表示画素Ｐｘに一斉に供給する。このような一連の動作を、１画面分の各行に対して繰り返し実行することにより、映像信号に基づく所望の画像情報が液晶表示パネル１１０に表示される。
【０００７】
ここで、上述した液晶表示パネルの各表示画素の構成とその影響について詳しく検証する。
図１５は、液晶表示パネルにおける構成例を示す要部平面図であり、図１６は、各表示画素に形成される容量成分を示す等価回路である。
図１５に示すように、液晶表示パネル１１０に形成される各表示画素Ｐｘは、例えば、図面上下方向に配設された複数のデータラインＤＬ及び図面左右方向に配設された複数の走査ラインＳＬにより囲まれた領域に、ゲート電極ＥＧが上記特定の走査ラインＳＬに接続され、ドレイン電極ＥＤが上記特定のデータラインＤＬに接続された画素トランジスタＴＦＴと、該画素トランジスタＴＦＴのソース電極ＥＳに接続された画素電極ＥＰと、該画素電極ＥＰの一部領域上に誘電体層を介して重なるように設けられた補助電極ＥＡと、が設けられた構成を有している。ここで、図示の都合上省略したが、各表示画素Ｐｘの画素電極ＥＰに対向するように、液晶分子を介して単一の共通電極が設けられ、図１４に示したように、上記画素電極ＥＰと共通電極（液晶分子を含む）により画素容量Ｃｌｃが構成され、また、上記画素電極ＥＰと補助電極ＥＡ（誘電体層を含む）により補助容量Ｃｓが形成されている。
【０００８】
このように、液晶表示パネル１１０（表示画素Ｐｘ周辺）の構成は、各画素電極ＥＰが、２本のゲートラインＳＬと２本のデータラインＤＬにより囲まれた領域に配設されているため、図１６に示すように、これらのラインＳＬ、ＤＬと画素電極ＥＰ間に発生する寄生容量、具体的には、走査ラインＳＬと画素電極ＥＰ間（画素トランジスタＴＦＴのゲート−ソース間）に寄生する容量Ｃｇｓ、及び、データラインＤＬと画素電極ＥＰ間に寄生する容量Ｃｄ−ｐｉｘにより、画素電極ＥＰの電位に影響が及び、画素トランジスタＴＦＴを介して画素電極ＥＰに印加される表示信号電圧が不安定になり、以下に示すような種々の問題を生じることが知られている。
【０００９】
（１）フィールドスルー電圧△Ｖによるフリッカーや焼き付きの発生
図１７は、フィールド反転駆動方式により液晶表示パネルの所定の行（表示画素群）に、表示データに応じた表示信号電圧を書き込む場合の駆動電圧波形を示す図である。
上述した走査ラインＳＬと画素電極ＥＰ間に発生する寄生容量Ｃｇｓは、周知のフィールドスルー電圧（飛ぴ込み電圧）△Ｖに密接に関係して、表示画像におけるフリッカー（ちらつき）や液晶の焼き付きの発生原因となることが知られている。
【００１０】
すなわち、上述した構成を有する液晶表示装置において、例えば、フィールド反転駆動方式により各表示画素群に表示データに応じた表示信号電圧を書き込む場合、図１７に示すように、表示信号電圧Ｖｓｉｇを各データラインＤＬに印加し、その印加期間中の所定の書込期間Ｔｗに、走査信号Ｖｇを走査ラインＳＬに印加することにより、画素トランジスタＴＦＴがオン駆動してドレイン電極（データラインＤＬ）に印加されていた表示信号電圧Ｖｓｉｇが、画素電極ＥＰに印加される。
【００１１】
ここで、フィールド反転駆動方式においては、表示信号電圧Ｖｓｉｇは、１フィールド期間ごとに、所定のセンターレベルＶｓｉｇｃに対して信号極性が反転するように設定され、また、各表示画素Ｐｘの共通電極に印加されるコモン信号電圧Ｖｃｏｍも、１フィールド期間ごとに、コモン信号中心電圧Ｖｃｏｍｃに対して信号極性が反転するとともに、上記表示信号電圧Ｖｓｉｇの信号極性とは反転関係となるように設定される。これにより、液晶分子が交流駆動されることになる。
【００１２】
上述したような液晶表示装置の駆動制御方法においては、図１７に示すように、走査信号Ｖｇに応じて画素トランジスタＴＦＴがオン状態からオフ状態に切り替わる際に、主に画素容量Ｃｌｃ、補助容量Ｃｓ及び寄生容量Ｃｇｓに蓄積された電荷が再分配されることにより、画素電極電圧Ｖｐが変動（低下）するフィールドスルー現象が発生する。ここで、フィールドスルー現象による画素電極電圧Ｖｐの変動（フィールドスルー電圧）ΔＶは、一般に次式（５１）のように表され、寄生容量Ｃｇｓに対して密接な関係を有している。
ΔＶ＝Ｃｇｓ×Ｖｇ／（Ｃｇｓ＋Ｃｌｃ＋Ｃｓ）            ・・・（５１）
【００１３】
そして、このようなフィールドスルー現象（フィールドスルー電圧ΔＶ）により、画素電極電圧ＶｐがセンターレベルＶｓｉｇｃに対して非対称となるため、該センターレベルＶｓｉｇｃに対する画素電極電圧Ｖｐの差分（オフセット電位）に相当する直流電圧（ＤＣ）成分が画素容量Ｃｌｃに印加されることにより、フリッカーが発生して表示画質の劣化を招いたり、液晶の焼き付きが生じて液晶表示パネルの特性劣化を招くという問題を有していた。
【００１４】
そこで、従来においては、例えば、補助容量Ｃｓを大きく形成することにより、上述した寄生容量Ｃｇｓに起因する画素電極電圧の変動（フィールドスルー電圧ΔＶ）を抑制する構成が採用されていた。しかしながら、図１５に示したような補助電極ＥＡは、遮光性の導電性材料を用いて形成されるため、補助容量Ｃｓの面積を大きくすることは、液晶表示パネル１１０のサイズや表示画素数等の仕様に基づいて各表示画素Ｐｘの形成領域（画素面積）が予め規定されている場合には、液晶表示パネルの開口率の低下を招くという新たな問題を有していた。
【００１５】
また、上述した補助容量Ｃｓを大きく形成する手法とは別に、例えば、特許文献１等に記載されているように、補助容量の補助電極（図１４に示した補助電極ＥＡ及び接続ラインＣＬ）に、上述したフィールドスルー電圧△Ｖを補償する電圧パルスを印加して、フィールドスルー電圧△Ｖによる電圧変動の影響を抑制するようにした構成も知られている。具体的には、特許文献１には、ゲートパルス（走査信号）と反対極性で、ゲートパルスの立ち下がりタイミングで立ち上がり、ゲートパルスの立ち上がりタイミングで立ち下がるように信号極性が設定された交流信号Ｈを、共通の信号ラインを介して各補助容量の補助電極側に共通に印加し、ゲートパルスの印加時に各表示画素の画素電極に印加される突き抜け電圧（フィールドスルー電圧ΔＶ）を相殺して、画素電極電圧の変動量を小さくする構成が記載されている。
【００１６】
（２）垂直クロストークの発生
図１８は、従来技術における垂直クロストークを抑制するための液晶表示パネルの構成例を示す概略断面図である。
図１５に示したように、液晶表示パネル１１０は、特定の行の表示画素Ｐｘの画素電極ＥＰの周囲に、隣り合う行の走査ラインＳＬ及びデータラインＤＬが近接して配設された構成を有していることから、データラインＤＬと画素電極ＥＰとの間に生じる寄生容量Ｃｄ−ｐｉｘが、表示信号電圧Ｖｓｉｇの書込動作のために、走査信号Ｖｇが印加されている特定の行（選択ライン）の走査ラインＳＬ以外の行（非選択ライン）の表示画素Ｐｘに対しても影響を及ぼし、該非選択ラインの画素電極電圧Ｖｐを変動させる周知の垂直クロストーク（又は、「縦クロストーク」ともいう）を生じ、画像情報の表示状態を不安定にするという問題を有していた。
【００１７】
そこで、従来においては、例えば、図１８に示すように、データラインＤＬの下層に補助電極ＥＡに接続された接続ラインＣＬを設け、該接続ラインＣＬの縁端部を画素電極ＥＰの下層にまで延在するように形成した断面構造（以下、便宜的に「シールドＣｓ構造」と記す）を適用することが知られている。このようなシールドＣｓ構造によれば、データラインＤＬと画素電極ＥＰとの間に接続ラインＣＬを介在させ、かつ、該接続ラインＣＬに、画素電極ＥＰに対向して設けられた共通電極ＥＣと同一の電圧Ｖｃｓ（すなわち、コモン信号電圧Ｖｃｏｍ）を印加することができるので、上記寄生容量Ｃｄ−ｐｉｘに蓄積される電荷量を実質的に低減して、上記垂直クロストークの影響を抑制することができる。
【００１８】
【特許文献１】
特開平４−１２０５２１号公報  （第２頁〜第３頁、第７図、第８図）
【００１９】
【発明が解決しようとする課題】
しかしながら、上述したような特許文献１等に記載された従来技術においては、寄生容量Ｃｇｓに起因するフィールドスルー電圧△Ｖの影響を抑制してフリッカーや液晶の焼き付きの発生を抑制することはできるものの、寄生容量Ｃｄ−ｐｉｘに起因する垂直クロストークの影響を抑制することは依然としてできないという問題を有していた。
【００２０】
また、上述したフリッカーや垂直クロストークの問題とは別に、従来技術における液晶表示パネルは、図１４、図１５に示したように、各表示画素Ｐｘを構成する画素電極ＥＰに近接して行列方向に走査ラインＳＬ及びデータラインＤＬ（すなわち、配線領域）が設けられた構成を有しているため、例えば、特定の行の走査ラインＳＬと、該走査ラインＳＬに隣り合う行の表示画素Ｐｘの画素電極ＥＰとの間に、該特定行の走査ラインＳＬに印加される表示信号電圧Ｖｓｉｇと画素電極ＥＰの電位（画素電極電圧Ｖｐ）の差に応じた横方向の電界（横電界）が発生することが知られている。
【００２１】
特に、図１８に示したように、垂直クロストークの影響を抑制するために、シールドＣｓ構造を適用した液晶表示パネルにおいては、データラインの下層に、共通電極と同一のコモン信号電圧Ｖｃｏｍ（電圧Ｖｃｓ）が印加される接続ラインＣＬが形成された断面構造を有しているため、画素電極ＥＰと接続ラインＣＬ間に、本来画素電極ＥＰと共通電極ＥＣ間に生じる電界ＥＦａの方向は異なる方向（逆方向）に電界ＥＦｂが形成され、画素電極ＥＰと共通電極ＥＣ間に充填された液晶分子ＬＣＭの配向状態（チルト角）が異なるディスクリネーション（液晶の配向不良）が生じるという問題を有していた。
【００２２】
ここで、液晶分子ＬＣＭの配向状態が正常な領域（図１８の右側）と異常となる領域（図１８の左側）との境界は、ディスクリネーションラインと称され、従来においては、このディスクリネーションラインＢＬ（すなわち、液晶分子ＬＣＭが配向不良となっている領域）が視認されないようにするために、各表示画素Ｐｘ間に遮光領域（遮光膜）を大きく形成する必要があった。そのため、例えば、上述したように、フィールドスルー電圧の影響を抑制するために補助容量Ｃｓの面積を大きく形成した構成を適用している場合には、上記遮光領域を大きく形成することにより液晶表示パネルの開口率がさらに低下するという問題を有していた。
このように、従来技術においては、フィールドスルー電圧に起因するフリッカーや液晶の焼き付き、垂直クロストーク、ディスクリネーション等に伴う表示画質の劣化や開口率の低下等の種々の課題を有しており、これらの課題を良好に解決することができる液晶表示装置の実現が求められていた。
【００２３】
そこで、本発明は、上述したような課題に鑑み、液晶表示装置におけるフィールドスルー電圧に起因するフリッカーや液晶の焼き付きの発生を低減するとともに、垂直クロストークやディスクリネーションの発生を抑制して、表示画質の向上及び液晶表示パネルの特性劣化の低減を図ることができる表示駆動装置及びその駆動制御方法を提供することを目的とする。
【００２４】
【課題を解決するための手段】
請求項１記載の表示駆動装置は、表示データに応じた表示信号電圧が印加される画素容量と、該画素容量に並列に接続され、前記表示信号電圧に基づく電荷を保持する補助容量と、を有する表示画素が２次元配列された表示パネルに対して、各行の前記表示画素を順次選択状態に設定し、前記表示データに基づく表示信号電圧を印加することにより、各表示画素に充填された液晶分子の配向状態を制御して、所望の画像情報を表示する表示駆動装置において、前記補助容量に、前記各行の表示画素を選択状態に設定する第１のタイミング、及び、該第１のタイミングに対して所定時間遅延した第２のタイミング、で変化する駆動電圧を印加するようにしたことを特徴とする。
【００２５】
請求項２記載の表示駆動装置は、請求項１記載の液晶駆動装置において、前記表示パネルは、行方向に配設された複数の走査ライン及び複数の補助容量駆動ラインと、列方向に配設された複数のデータラインと、前記複数の走査ライン及びデータラインの各交点近傍に前記表示画素が配列され、前記表示画素は、前記走査ラインにゲート電極が接続され、前記データラインにドレイン電極が接続され、前記画素容量及び前記補助容量の一方の電極を構成する画素電極にソース電極が接続された画素トランジスタと、前記画素容量の他方の電極を構成し、一定電圧からなるコモン信号電圧が印加される共通電極と、前記補助容量の他方の電極を構成し、前記補助容量駆動ラインを介して前記駆動電圧が印加される補助電極と、を備えていることを特徴とする。
【００２６】
請求項３記載の表示駆動装置は、請求項２記載の表示駆動装置において、前記第１のタイミングで、前記各行の走査ラインに走査信号を順次印加して、各行の前記表示画素を選択状態に設定する走査ドライバと、前記各列のデータラインに前記表示信号電圧を印加して、前記選択状態に設定された行の各表示画素に前記表示信号電圧を書き込むデータドライバと、前記補助容量駆動ラインに、前記第１のタイミング、及び、該第１のタイミングに対して所定時間だけ遅延した前記第２のタイミング、で変化する前記駆動電圧を印加して、前記補助容量に蓄積された電荷量を制御する補助容量ドライバと、を備えていることを特徴とする。
【００２７】
請求項４記載の表示駆動装置は、請求項２記載の表示駆動装置において、前記表示画素に充填された前記液晶分子に印加される電圧は、前記データラインに印加される前記表示信号電圧と、前記液晶分子特有の配向特性に基づくしきい値電圧との和からなる電圧値に設定されていることを特徴とする。
請求項５記載の液晶駆動装置は、請求項１記載の液晶駆動装置において、前記駆動電圧の、前記第１のタイミングでの第１の電圧変化量と、前記第２のタイミングでの第２の電圧変化量と、が異なることを特徴とする。
【００２８】
請求項６記載の表示駆動装置は、請求項１記載の表示駆動装置において、前記第２のタイミングは、前記第１のタイミングに対して、各行の前記表示画素を選択状態に保持する選択期間の所定数倍の時間だけ遅延したタイミングであることを特徴とする。
請求項７記載の表示駆動装置は、請求項１乃至６のいずれかに記載の表示駆動装置において、前記駆動電圧は、前記表示画素に充填された前記液晶分子特有の配向特性と前記補助容量に基づく第１の電圧成分、及び、前記走査信号の電圧振幅と前記補助容量に基づく第２の電圧成分からなる電圧であることを特徴とする。
【００２９】
請求項８記載の表示駆動装置は、請求項７記載の表示駆動装置において、前記駆動電圧は、前記第１のタイミングで、前記第２の電圧成分に相当する電圧分低下し、前記第２のタイミングで、前記第１の電圧成分、及び、前記第２の電圧成分からなる電圧分、前記表示信号電圧と同極性に変化する電圧であることを特徴とする。
請求項９記載の表示駆動装置は、請求項７または８のいずれかに記載の表示駆動装置において、前記第１の電圧成分は、前記液晶分子特有の配向特性に基づくしきい値電圧と前記補助容量に基づく電圧値に設定されていることを特徴とする。
【００３０】
請求項１０記載の表示駆動装置は、請求項１乃至９のいずれかに記載の表示駆動装置において、前記表示パネルを構成する前記表示画素は、各々、前記画素電極と前記データライン間に前記補助容量駆動ラインが電気的に介在する構成を有し、前記画素電極と前記共通電極間に生じる電界と、前記補助容量駆動ラインと前記共通電極間に生じる電界が、同一の極性を有するように設定されていることを特徴とする。
請求項１１記載の表示駆動装置は、請求項１０記載の表示駆動装置において、前記表示パネルを構成する前記表示画素に設けられる前記画素トランジスタは、前記ゲート電極が、前記ソース電極及び前記ドレイン電極が接続される半導体層に対して、前記画素電極と同一側に設けられ、かつ、前記補助容量駆動ラインと同一の層に設けられた構成を有していることを特徴とする。
【００３１】
請求項１２記載の表示駆動装置の駆動制御方法は、表示データに応じた電圧が印加される画素容量と、該画素容量に並列に接続され、前記表示信号電圧に基づく電荷を保持する補助容量と、を有する表示画素が２次元配列された表示パネルに対して、各行の前記表示画素を順次選択状態に設定し、前記表示データに基づく表示信号電圧を印加することにより、各表示画素に充填された液晶分子の配向状態を制御して、所望の画像情報を表示する表示駆動装置の駆動制御方法において、第１のタイミングで前記各行の表示画素に走査信号を順次印加して選択状態に設定し、該表示画素が選択状態に保持される前記選択期間に、前記画素容量の一方の電極を構成する画素電極に前記表示信号電圧を印加するとともに、前記画素容量の他方の電極を構成する共通電極に一定電圧からなるコモン信号電圧を印加する手順と、前記補助容量に、前記第１のタイミング、及び、該第１のタイミングに対して、前記表示画素が選択状態に保持される選択期間の所定数倍の時間だけ遅延した第２のタイミング、で変化する駆動電圧を印加する手順と、を含むことを特徴とする。
【００３２】
請求項１３記載の液晶駆動装置の駆動制御方法は、請求項１２記載の液晶駆動装置の駆動制御方法において、前記駆動電圧は、前記第１のタイミングと前記第２のタイミングでの電圧変化量が異なるように設定されていることを特徴とする。
請求項１４記載の表示駆動装置の駆動制御方法は、請求項１２記載の表示駆動装置の駆動制御方法において、前記駆動電圧は、前記表示画素に充填された前記液晶分子特有の配向特性と前記補助容量に基づく第１の電圧成分、及び、前記走査信号の電圧振幅と前記補助容量に基づく第２の電圧成分、からなる電圧幅で変動するように設定されていることを特徴とする。
【００３３】
請求項１５記載の表示駆動装置の駆動制御方法は、請求項１４記載の表示駆動装置の駆動制御方法において、前記表示駆動装置の駆動制御方法は、前記駆動電圧を、前記第１のタイミングで前記第２の電圧成分に相当する電圧分低減させ、前記第２のタイミングで、前記第１の電圧成分、及び、前記第２の電圧成分からなる電圧分、前記表示信号電圧と同極性に変化させる手順を含むことを特徴とする。
【００３４】
請求項１６記載の表示駆動装置の駆動制御方法は、請求項１２乃至１５のいずれかに記載の表示駆動装置の駆動制御方法において、前記表示画素に充填された前記液晶分子に印加される電圧は、前記表示信号電圧と前記液晶分子特有の配向特性に基づくしきい値電圧との和からなる電圧値に設定されていることを特徴とする。
請求項１７記載の表示駆動装置の駆動制御方法は、請求項１４乃至１６のいずれかに記載の表示駆動装置の駆動制御方法において、前記第１の電圧成分は、前記液晶分子特有の配向特性に基づくしきい値電圧と前記補助容量に基づく電圧値に設定されていることを特徴とする。
【００３５】
すなわち、本発明に係る表示駆動装置及びその駆動制御方法は、対向する透明基板間に液晶分子が充填、保持された液晶表示パネルを備えた液晶表示装置に適用される表示駆動装置（ドライバ）において、走査ドライバにより走査信号を印加して各行の表示画素を順次選択状態に設定し、データドライバにより表示データに応じた表示信号電圧を書き込み、各表示画素に充填された液晶分子の配向状態を制御することにより、所望の画像情報を表示する際に、第１のタイミングで、各行の表示画素を選択状態に設定し、該表示画素が選択状態に保持される選択期間（書込期間）に、画素容量を構成する画素電極に表示信号電圧を印加するとともに、共通電極に一定電圧からなるコモン信号電圧を印加し、また、補助容量ドライバにより上記選択状態に設定された表示画素に設けられた補助容量の補助電極に、第１のタイミング、及び、該第１のタイミングに対して、上記選択期間の所定数倍（例えば、２倍）の時間だけ遅延した第２のタイミングで変化する駆動電圧（補助容量駆動電圧）を印加して、補助容量に蓄積された電荷量を制御する（Ｃｓライン駆動）ように構成されている。
【００３６】
ここで、画素容量に印加される表示信号電圧は、所定の期間ごとにセンターレベルに対して信号極性が反転するように設定されることにより、画素容量に充填された液晶分子が交流駆動される。また、補助容量に印加される駆動電圧は、表示画素に充填された液晶分子特有の配向特性を規定する電圧値（しきい値電圧）と補助容量の容量値に基づく第１の電圧成分、及び、各行の表示画素に印加される走査信号の電圧振幅と補助容量の容量値に基づく第２の電圧成分からなるように設定されて、上記第１、第２のタイミングでの電圧変化量が異なり、上記第１のタイミングにおいては、第２の電圧成分に相当する電圧分低下し、第２のタイミングにおいて、上記第１及び第２の電圧成分からなる電圧分、表示信号電圧と同極性に変化するように設定される。
【００３７】
これにより、表示画素において、第１のタイミングの際に発生するフィールドスルー電圧に関連する電圧成分をキャンセル（低減）して、画素容量に印加される電圧の信号極性の偏りを低減することができる。したがって、画素容量に充填された液晶分子への直流電圧成分の印加を抑制することができ、表示画像におけるフリッカーや液晶の焼き付きの発生を抑制することができる。
【００３８】
また、本発明に係る表示駆動装置及びその駆動制御方法においては、表示画素に充填された液晶分子に印加される電圧（液晶印加電圧）は、表示信号電圧と液晶分子特有の配向特性に基づくしきい値電圧との和からなる電圧値に設定され、また、補助容量に印加される駆動電圧の上記第１の電圧成分に対して、上記しきい値電圧と補助容量の容量値とが相互に依存関係に設定されることにより、垂直クロストークの発生に関連するデータラインと画素電極間に形成される寄生容量の容量値を規定する表示信号電圧を、供給される表示信号電圧より上記しきい値電圧分を省いた電圧に小さく設定することができる。したがって、該表示信号電圧の電圧変動量も相対的に小さくすることができ、垂直クロストークの影響を抑制して画像情報の表示状態を安定化させることができる。
【００３９】
さらに、本発明に係る表示駆動装置においては、表示画素に設けられた補助容量を構成する補助電極に接続された補助容量駆動ラインが、データラインの下層に設けられ、かつ、その縁辺部が画素容量を構成する画素電極の下層にまで延在するように形成された断面構造（シールドＣｓ構造）を有する表示パネルを適用することができる。シールドＣｓ構造を有する表示パネルによれば、画素電極とデータライン間に補助容量駆動ラインが電気的に介在する構成を有している。
【００４０】したがって、各表示画素に表示信号電圧を印加する書込動作において、上述したＣｓライン駆動により、第２のタイミングで、各表示画素の補助容量（補助電極）に補助容量駆動ラインを介して、駆動電圧が印加されることにより、補助容量駆動ラインと共通電極間に、画素電極と共通電極間に形成される電界と同一の極性及び電位差を有する電界が形成されることになるので、画素電極と補助容量駆動ライン間に発生する横電界が抑制され、ディスクリネーションが生じにくくなる。よって、液晶分子が配向不良となる領域（ディスクリネーションライン）を遮光するための領域の面積を従来に比較して縮小することができるので、液晶表示パネルの開口率を向上させることができる。
また、このようなシールドＣｓ構造を適用した表示パネルにおいては、画素電極とデータライン間に補助容量駆動ラインが電気的に介在する構成を有しているので、画素電極とデータライン間に形成される寄生容量の容量値を低減することができる。したがって、垂直クロストークの影響を抑制して画像情報の表示状態を一層安定化させることができる。
【００４１】
加えて、本発明に係る表示駆動装置においては、上述したシールドＣｓ構造を有する表示パネルにおいて、各表示画素に設けられた画素トランジスタのゲート電極が、該画素トランジスタの半導体層の上層側に設けられたトップゲート構造を有する構成を適用することができる。ここで、ゲート電極と補助容量駆動ラインは同一の製造プロセスで形成され、同一層に設けられた構成を有しているので、補助容量駆動ラインと画素電極との間の離間距離をより短縮して、相互の電気的な結合をより緊密にすることができ、画素電極とデータライン間に形成される寄生容量の容量値を低減することができる。したがって、垂直クロストークの影響を抑制して、画像情報の表示状態を安定化することができるとともに、ディスクリネーションの発生を抑制して、液晶表示パネルの開口率を一層向上させることができる。
【００４２】
【発明の実施の形態】
以下、本発明に係る表示駆動装置及びその駆動制御方法について、図面を参照しながら説明する。
＜第１の実施形態＞
（液晶表示装置）
図１は、本発明に係る表示駆動装置を適用した液晶表示装置の第１の実施形態を示す概略構成図であり、図２は、本実施形態に係る液晶表示装置に適用される液晶表示パネルの一例を示す等価回路図である。ここで、上述した従来技術（図１３乃至図１５）と同等の構成については、同等の符号を付して説明を簡略化する。
【００４３】
図１に示すように、本実施形態に係る液晶表示装置は、概略、上述した従来技術（図１３参照）と同等の構成を有する液晶表示パネル（表示パネル）１０、走査ドライバ（ゲートドライバ）２０、データドライバ（ソースドライバ）３０、表示信号生成回路５０に加え、液晶表示パネル１０を構成する各表示画素に設けられた補助容量に所定のタイミングで補助容量駆動電圧（駆動電圧）を供給する補助容量ドライバ６０と、表示信号生成回路５０から供給されるタイミング信号に基づいて、走査ドライバ２０及びデータドライバ３０、並びに、上記補助容量ドライバ６０における各動作タイミングを制御するための制御信号（水平制御信号、垂直制御信号等）を生成、出力するシステムコントローラ４０と、を備えた構成を有している。
【００４４】
液晶表示パネル１０は、図２に示すように、上述した従来技術と同様に、相互に直交して配設された複数の走査ラインＳＬ及びデータラインＤＬの各交点近傍に、複数の表示画素Ｐｘ（画素トランジスタＴＦＴ、画素容量Ｃｌｃ、補助容量Ｃｓを含んで構成される周知の液晶表示画素）がマトリクス状に配列された構成を有し、特に、本実施形態においては、画素容量Ｃｌｃを構成する共通電極（対向電極）に一定の電圧値を有するコモン信号電圧Ｖｃｏｍが印加されるとともに、補助容量Ｃｓを構成する補助電極（図１５参照）が各行ごとに補助容量駆動ラインＬｃｓを介して、補助容量ドライバ６０に接続され、所定のタイミングで信号極性が切り替わる補助容量駆動電圧Ｖｃｓが印加されるように構成されている。ここで、画素容量Ｃｌｃの共通電極に印加されるコモン信号電圧Ｖｃｏｍは、特に限定するものではないが、例えば、液晶表示パネル１０の駆動時（表示駆動時）のみ、ＬＣＤコントローラ４０から供給され、印加されるものであってもよいし、図示を省略した電源電圧供給手段から供給され、印加されるものであってもよい。
【００４５】
走査ドライバ２０は、上記各走査ラインＳＬが接続され、ＬＣＤコントローラ４０から出力される垂直制御信号に基づいて、各行の走査ラインＳＬに走査信号Ｖｇを順次印加して、当該行の表示画素Ｐｘ群に設けられた画素トランジスタＴＦＴをオン動作させて選択状態に設定する。
データドライバ３０は、上記各データラインＤＬが接続され、ＬＣＤコントローラ４０から出力される水平制御信号に基づいて、例えば、赤（Ｒ）、緑（Ｇ）、青（Ｂ）各色の表示データを１行単位で取り込んで保持し、上記走査ドライバ２０により選択状態に設定された行の表示画素Ｐｘ群に対して、保持した表示データに対応する表示信号電圧Ｖｓｉｇを、各データラインＤＬを介して一括して供給する。これにより、各表示画素Ｐｘにおいて、オン状態にある画素トランジスタＴＦＴを介して、上記表示信号電圧Ｖｓｉｇが取り込まれ、画素容量Ｃｌｃ及び補助容量Ｃｓを構成する画素電極（図１５参照）に印加されて書き込みが行われる。
【００４６】
ＬＣＤコントローラ４０は、例えば、液晶表示装置の外部から供給される映像信号（コンポジットビデオ信号）から抽出された水平同期信号Ｈ、垂直同期信号Ｖ及びシステムクロックＣＳＹ等の各種タイミング信号に基づいて、水平制御信号及び垂直制御信号を生成して、各々、走査ドライバ２０及びデータドライバ３０に供給するとともに、本実施形態特有の機能として、上記垂直制御信号に同期する駆動制御信号を生成して、補助容量ドライバ６０に供給し、所定のタイミングで所定の電圧値を有する補助容量駆動電圧Ｖｃｓを、液晶表示パネル１０の各行の表示画素Ｐｘ（補助容量Ｃｓ）に印加するように制御する。
【００４７】
表示信号生成回路５０は、例えば、液晶表示装置の外部から供給される映像信号（コンポジットビデオ信号等）から水平同期信号Ｈ、垂直同期信号Ｖ及びコンポジット同期信号ＣＳＹを抽出し、タイミング信号としてＬＣＤコントローラ４０に供給するとともに、所定の表示信号生成処理（ペデスタルクランプ、クロマ処理等）を実行して、映像信号に含まれるＲ、Ｇ、Ｂ各色の輝度信号（表示データ）を抽出し、アナログ信号又はデジタル信号としてデータドライバ３０に出力する。
【００４８】
補助容量ドライバ６０は、上記補助容量駆動ラインＬｃｓが接続され、ＬＣＤコントローラ４０から出力される駆動制御信号に基づいて、各行の補助容量駆動ラインＬｃｓに補助容量駆動電圧Ｖｃｓを順次印加して、当該行の表示画素Ｐｘ群の補助容量Ｃｓに蓄積された電荷量を所定状態に制御する動作を実行する。補助容量駆動電圧Ｖｃｓは、走査ドライバ２０により走査信号Ｖｇが印加されることにより特定行の表示画素Ｐｘ群を選択状態に設定するタイミングに対して、例えば、上記書込状態を規定する書込期間の２倍の時間（すなわち、２行分書込期間）だけ遅延したタイミングで、当該特定行の表示画素Ｐｘ群を構成する補助容量Ｃｓの補助電極に印加される。ここで、本実施形態においては、補助容量駆動電圧Ｖｃｓは、当該特定行の表示画素Ｐｘ群を構成する画素容量Ｃｌｃの共通電極に印加されるコモン信号電圧Ｖｃｏｍの電圧値及び印加タイミングとは独立した、別個の電圧値及び印加タイミングに設定される。具体的な設定例については、以下に示す駆動制御方法において詳しく説明する。
【００４９】
（駆動制御方法）
次に、上述した補助容量ドライバ（表示駆動装置）が適用される液晶表示装置の駆動制御方法について詳しく説明する。
図３は、本実施形態に係る液晶表示装置の駆動制御方法の一例を示すタイミングチャートである。ここでは、液晶表示パネルの所定の行の表示画素群に、表示データに応じた表示信号電圧を書き込む場合における補助容量の駆動制御動作について説明する。
【００５０】
本実施形態においては、上述したような構成を有する液晶表示装置において、各行の表示画素Ｐｘ群に表示データに応じた表示信号電圧Ｖｓｉｇを書き込む場合、ＬＣＤコントローラ４０により、走査ドライバ２０、データドライバ３０及び補助容量ドライバ６０の各々に、垂直制御信号、水平制御信号及び駆動制御信号を供給して、例えば、図３に示すように、データドライバ３０により表示信号電圧Ｖｓｉｇを各データラインＤＬに印加し、その印加期間中の所定のタイミングで書込期間（選択期間）Ｔｗを設定して、走査ドライバ２０により走査信号Ｖｇを各走査ラインＳＬに印加することにより、各表示画素Ｐｘの画素トランジスタＴＦＴをオン動作させて、データラインＤＬ（ドレイン電極）に印加されている表示信号電圧Ｖｓｉｇを取り込んで、各画素電極に印加する（各表示画素Ｐｘに表示信号電圧Ｖｓｉｇを書き込む；第１のタイミング）。
【００５１】
ここで、表示信号電圧Ｖｓｉｇは、従来技術（図１７参照）に示した場合と同様に、例えば、１フィールド期間ごと、あるいは、１走査ラインごとに、所定のセンターレベルＶｓｉｇｃに対して信号極性が反転するように設定され、また、各表示画素Ｐｘの画素電極に対向して設けられた共通電極に印加されるコモン信号電圧Ｖｃｏｍは、一定の電圧値（例えば、表示信号電圧ＶｓｉｇのセンターレベルＶｓｉｇｃ）を有するように設定されている。これにより、画素容量Ｃｌｃに充填された液晶分子は所定の周期で交流駆動される。
【００５２】
さらに、本実施形態においては、上記走査ドライバ２０により特定の行の走査ラインＳＬに所定の書込期間Ｔｗだけ走査信号Ｖｇを印加して、当該行の表示画素Ｐｘ群を選択状態とするタイミングから、該書込期間Ｔｗを単位時間として、任意の複数倍の書込期間Ｔｗ分の時間（例えば、書込期間Ｔｗの２倍の時間２×Ｔｗ）だけ遅延したタイミング（第２のタイミング）で、補助容量ドライバ６０により当該特定行の補助容量駆動ラインＬｃｓを介して所定の電圧値を有する補助容量駆動電圧Ｖｃｓを印加することにより、補助容量Ｃｓに蓄積されている電荷量を所定量変化させるように設定されている（以下、本実施形態に係る補助容量の駆動制御方式を、便宜的に「Ｃｓライン駆動方式」と記す）。これにより、当該特定行の書込期間Ｔｗに発生したフィールドスルー電圧ΔＶの影響、すなわち、画素電極電圧の信号極性の偏りを低減することができるので、画素容量Ｃｌｃに充填された液晶分子への直流電圧成分の印加を抑制することができ、表示画像におけるフリッカーや液晶の焼き付きの発生を抑制することができる。
【００５３】
以下、具体的に説明する。
従来技術（図１５、図１６参照）に示したように、各表示画素Ｐｘは、画素トランジスタＴＦＴのソース電極ＥＳ（画素電極ＥＰ）に並列に接続された画素容量Ｃｌｃ及び補助容量Ｃｓに加え、画素トランジスタＴＦＴのゲート（走査ラインＳＬ）−ソース間に形成される寄生容量Ｃｇｓと、画素トランジスタＴＦＴのドレイン（データラインＤＬ）−ソース間に形成される寄生容量Ｃｄ−ｐｉｘと、を有する等価回路として表される。
【００５４】
このような等価回路において、走査ラインＳＬに走査信号Ｖｇを印加して画素トランジスタＴＦＴをオン動作させた場合、上記各容量に蓄積される電荷の総量Ｑは、次式（１１）のように表される。
2004240263.tif 000003
ここで、Ｖｃｏｍは一定電圧からなるコモン信号電圧であり、Ｖｐは画素電極電圧であり、Ｖｃｓは補助容量駆動電圧であり、Ｖｇは走査信号（画素トランジスタＴＦＴのゲート電圧）であり、Ｖｓｉｇは表示信号電圧（画素トランジスタＴＦＴのドレイン電圧）である。
【００５５】
上記式（１１）において電荷の総量Ｑは、画素トランジスタＴＦＴがオフ動作した後においても保持されることから、各容量における電荷量を規定する各電圧Ｖｃｏｍ、Ｖｐ、Ｖｃｓ、Ｖｇ、Ｖｓｉｇが変動した場合の変動量を、各々△Ｖｃｏｍ、ΔＶｐ、ΔＶｃｓ、ΔＶｇ、ΔＶｓｉｇと表すと、次式（１２）のような関係を得ることができる。
2004240263.tif 000004
そして、この式（１２）をさらに変形する（書き換える）と、次式（１３）のように表すことができる。
2004240263.tif 000005
【００５６】
ここで、従来技術（図１７参照）に示したように、コモン信号電圧Ｖｃｏｍの信号極性を一定時間（１フィールド期間）ごとに反転する駆動制御方法（以下、説明の都合上、便宜的に「従来方式」と記載する）において、補助容量Ｃｃｓの補助電極に印加される電圧Ｖｃｓとして、１フィールド期間ごとに信号極性が反転するように設定されたコモン信号電圧Ｖｃｏｍが印加される場合には、コモン信号電圧Ｖｃｏｍの電圧変動ΔＶｃｏｍと補助電極に印加される電圧Ｖｃｓの変動ΔＶｃｓとは同一（ΔＶｃｏｍ＝ΔＶｃｓ）であるため、
ア）  △Ｖｇ＝−Ｖｇｈｌ（Ｖｇｈｌは、走査信号Ｖｇの電圧振幅の絶対値）
イ）  α＝Ｃｇｓ／（Ｃｓ＋Ｃｄ−ｐｉｘ＋Ｃｌｃ＋Ｃｇｓ）
ウ）  β＝Ｃｄ−ｐｉｘ／（Ｃｓ＋Ｃｄ−ｐｉｘ＋Ｃｌｃ＋Ｃｇｓ）
と定義して、上記式（１３）を書き換えると、画素容量Ｃｌｃに印加される電圧（液晶印加電圧）Ｖｌｃの電圧変動△Ｖｌｃは、画素電極電圧Ｖｐの変動分とコモン信号電圧Ｖｃｏｍの変動分の差に相当するので、次式（２１）のように表される。
2004240263.tif 000006
【００５７】
上記式（２１）において、−αＶｇｈｌからなる項は、上記定義ア、イ及び従来技術に示した式（５１）より、フィールドスルー電圧△Ｖに対応する電圧成分（−αＶｇｈｌ＝ΔＶ）であって、ここでは、マイナス（−）方向の直流電圧成分を有することを示しているので、次式（２２）のように書き換えることができる。
△Ｖｌｃ＝−△Ｖ−α△Ｖｃｏｍ＋β（△Ｖｓｉｇ−△Ｖｃｏｍ）      ・・・（２２）
【００５８】
一方、本実施形態に係る駆動制御方法においては、図３に示したように、コモン信号電圧Ｖｃｏｍを一定の電圧値に設定しているので、その電圧変動△Ｖｃｏｍは生じない（△Ｖｃｏｍ＝０）。したがって、上記定義ア〜ウに加え、
エ）  γ＝Ｃｓ／（Ｃｓ＋Ｃｄ−ｐｉｘ＋Ｃｌｃ＋Ｃｇｓ）
オ）  Ｃｌｃ＝Ｃｌｃ−ｏｎ（Ｍａｘ）  （Ｃｌｃ−ｏｎ（Ｍａｘ）は、画素容量Ｃｌｃの最大値）
と定義して、上記式（１３）を書き換えると、液晶印加電圧Ｖｌｃの電圧変動△Ｖｌｃは、次式（３１）のように表される。
ΔＶｌｃ＝△Ｖｐ＝−αＶｇｈｌ＋γΔＶｃｓ＋βΔＶｓｉｇ      ・・・（３１）
ここで、上述したように、−αＶｇｈｌからなる項は、フィールドスルー電圧△Ｖに対応する電圧成分（−αＶｇｈｌ＝△Ｖ）であるであるので、上記式（３１）は、次式（３２）のように表される。
ΔＶｌｃ＝−△Ｖ＋γΔＶｃｓ＋βΔＶｓｉｇ      ・・・（３２）
【００５９】
次いで、上述したように、従来方式及び本実施形態について導出された液晶印加電圧Ｖｌｃの電圧変動△Ｖｌｃを示す式（２１）又は（２２）、式（３１）又は（３２）に基づいて、垂直クロストーク及びフィールドスルー現象（フィールドスルー電圧）の低減効果について説明する。
従来技術においても説明したように、データラインＤＬと画素電極との間に生じる寄生容量Ｃｄ−ｐｉｘが、非選択ラインの表示画素に対しても作用して垂直クロストーク（縦クロストーク）の発生原因となるため、上述した従来方式においては、上記式（２１）又は（２２）に示した液晶印加電圧Ｖｌｃの電圧変動△Ｖｌｃに含まれるβ（△Ｖｓｉｇ−△Ｖｃｏｍ）の項が、また、本実施形態においては、上記式（３１）又は（３２）に含まれるβ△Ｖｓｉｇの項が、各々垂直クロストークの発生に密接に関連する項となる。
【００６０】
ここで、従来方式と本実施形態における垂直クロストークに関連する上記項を直接比較すると、従来方式においては、コモン信号電圧Ｖｃｏｍの信号極性が表示信号電圧Ｖｓｉｇに対して反転するように（逆相となるように）設定されていたので、従来方式における電圧変動△Ｖｓｉｇ−△Ｖｃｏｍは、本実施形態における電圧変動△Ｖｓｉｇよりも大きく、次式（４１）の関係が得られる。したがって、本実施形態に係る駆動制御方法の場合の方が、従来方式に比較して垂直クロストークに関連する電圧成分の変動量が小さいので、その影響をより軽減することができる。
β△Ｖｓｉｇ／β（△Ｖｓｉｇ−△Ｖｃｏｍ）＝△Ｖｓｉｇ／△（Ｖｓｉｇ−Ｖｃｏｍ）＜１・・・（４１）
【００６１】また、本実施形態に係る駆動制御方法においては、画素トランジスタＴＦＴがオン動作したときに、各表示画素（画素容量）に印加される電圧（液晶印加電圧）Ｖｌｃは、データラインＤＬに供給される表示信号電圧Ｖｓｉｇと同等であり、この書込み動作後に、画素トランジスタＴＦＴがオフ動作したときに、補助容量Ｃｓに印加される電圧Ｖｃｓの変動量がΔＶｃｓだけ変化したとすると、液晶印加電圧Ｖｌｃは、上記式（３１）において、ΔＶｓｉｇ＝０であるので、次式（４２）のように表される。  Ｖｌｃ＝Ｖｐ−Ｖｃｏｍ＝Ｖｓｉｇ＋△Ｖｐ＝（±）Ｖｓｉｇ＋γ△Ｖｃｓ−αＶｇｈｌ・・・（４２）
ここで、上記定義イ、エより、α＝Ｃｇｓ／（Ｃｓ＋Ｃｄ−ｐｉｘ＋Ｃｌｃ＋Ｃｇｓ）、γ＝Ｃｓ／（Ｃｓ＋Ｃｄ−ｐｉｘ＋Ｃｌｃ＋Ｃｇｓ）であるので、上記式（４２）は、次式（４３）のように表される。  Ｖｌｃ＝（±）Ｖｓｉｇ＋γ△Ｖｃｓ−αＶｇｈｌ＝（±）Ｖｓｉｇ＋γ（△Ｖｃｓ−Ｖｇｈｌ×Ｃｇｓ／Ｃｓ）    ・・・（４３）
【００６２】
そこで、補助容量Ｃｓに印加される電圧Ｖｓの電圧変動ΔＶｃｓを、図３に示すように、表示信号電圧Ｖｓｉｇが正の電圧（Ｖｓｉｇ＞０）の場合には、正方向にΔＶｃｓ＝Ａ＋Ｂだけ変化するように設定し、一方、表示信号電圧Ｖｓｉｇが負の電圧（Ｖｓｉｇ＜０）の場合には、負方向にΔＶｃｓ＝−Ａ＋Ｂだけ変化するように設定する。ここで、パラメータＡ（第１の電圧成分）は定数であり、パラメータＢ（第２の電圧成分）は走査信号Ｖｇの電圧幅Ｖｇｈｌとソース−ゲート間の寄生容量Ｃｇｓ、補助容量Ｃｓにより、Ｂ＝Ｖｇｈｌ×Ｃｇｓ／Ｃｓと規定される変数である。なお、パラメータＡ及びＢの設定については、詳しく後述する。
【００６３】
これにより、液晶印加電圧Ｖｌｃのうち、フィールドスルー電圧△Ｖ（＝−αＶｇｈｌ）に関連する項がキャンセルされ、液晶印加電圧Ｖｌｃは、次式（４４）のように表される。なお、補助容量Ｃｓに印加される電圧Ｖｓの電圧変動ΔＶｃｓを上述したように設定して、液晶印加電圧Ｖｌｃを次式（４４）に示すように制御するためには、図３に示すように、画素トランジスタＴＦＴがオン状態にあるときに、補助容量Ｃｓに印加される電圧Ｖｃｓを、パラメータＢに相当する電圧分だけ予め降下（−Ｂ）させるように設定する。
Ｖｌｃ＝（±）（Ｖｓｉｇ＋γＡ）    ・・・（４４）
したがって、液晶印加電圧を規定する上記式（４２）から直流電圧成分が除去されるので、フィールドスルー電圧に起因する表示画像におけるフリッカーや液晶の焼き付きの発生を抑制することができる。
【００６４】
さらに、本実施形態に係る駆動制御方法においては、以下に示すように、上記式（４４）に示したパラメータＡについて検討すると、各表示画素Ｐｘに書き込む表示信号電圧Ｖｓｉｇの電圧値を、従来方式よりも低く設定することができるので、上記式（３１）又は（３２）に示した垂直クロストークに関連する項βΔＶｓｉｇの電圧変動量ΔＶｓｉｇを相対的に小さくすることができ、垂直クロストークの影響を一層低減することができる。
【００６５】
図４は、ＴＮ液晶の光学特性（印加電圧に対する光透過率の変化）の一例を示す特性図である。また、図５は、液晶の容量特性（印加電圧に対する液晶容量の変化）の一例を示す特性図であり、図６は、本実施形態に係る駆動制御方法において液晶印加電圧を規定するγ値の印加電圧に対する変化特性の一例を示す特性図である。さらに、図７は、本実施形態に係る駆動制御方法において設定される液晶印加電圧と表示信号電圧との対応関係の一例を示す図であり、図８は、本実施形態に係る駆動制御方法において設定される各パラメータと補助容量との対応関係の一例を示す図である。
【００６６】
図４に示すように、例えば、ＴＮ（ツイスティッドネマティック）液晶における印加電圧に対する光透過率（光学特性）は、印加電圧が０Ｖのときの透過率を１００％として、液晶への印加電圧が、当該液晶特有のしきい値電圧Ｖｔｈ以下の電圧範囲（図４に示したＴＮ液晶においては、概ね０〜１．５Ｖの範囲）おいては略一定の光透過率（略１００％）を示し、該しきい値電圧Ｖｔｈ以上となる電圧範囲（概ね１．５〜５Ｖの範囲）においては光透過率が急激に低下する変化傾向を示すことが知られている。
【００６７】
そこで、上記式（４４）に示した各項のうち、一定の電圧成分からなるγＡ項により、図４に示した液晶特有のしきい値電圧Ｖｔｈ部分を請け負う（対応させる）ように設定し、また、表示データに応じて変動する電圧成分である表示信号電圧Ｖｓｉｇ項により、しきい値電圧Ｖｔｈ以上の電圧範囲の変動分を請け負う（対応させる）ように設定する。これにより、上述したデータラインＤＬに印加される電圧から一定電圧分（すなわち、しきい値電圧Ｖｔｈ相当分）を省く、電圧変動分のみを表示信号電圧として設定すればよいので、データラインＤＬに印加される電圧（表示信号電圧Ｖｓｉｇ）を実質的に小さく設定することができる。
【００６８】
すなわち、上記式（４４）及び図４から、一定電圧成分γＡ＝しきい値電圧Ｖｔｈと設定されるので、定数Ａ＝Ｖｔｈ／γと表される。ここで、図５に示すように、画素容量（液晶容量）Ｃｌｃは、特定の電圧以上の電圧範囲において印加電圧Ｖｌｃに依存して変化する傾向を示すことから、γの値は、上記定義エに基づいて、印加電圧Ｖｌｃに依存する変化傾向を示す。具体的には、例えば、各表示画素に形成される寄生容量Ｃｇｓを１０ｆＦとし、Ｃｓ／Ｃｌｃ−ｏｎを１．１とした場合、上記式（４４）に示したγ値は、図６に示すような変化傾向を示す。
【００６９】
そして、上記式（４４）に示した一定電圧成分γＡ項のうち、定数Ａを一定値に設定し、図６に示したようなγ値の電圧依存特性に基づいて、印加電圧Ｖｌｃが、例えば、１．３Ｖ〜５Ｖとなる電圧範囲における表示信号電圧Ｖｓｉｇ（画素トランジスタＴＦＴのドレイン電圧）の正負振幅値Ｖｓｉｇ（＋）、Ｖｓｉｇ（−）を算出すると、図７に示すような対応関係（理想値）を得ることができる。
したがって、表示信号電圧Ｖｓｉｇを図７に基づいて適宜設定することにより、液晶印加電圧Ｖｌｃに含まれる直流電圧成分を省くことができ、上述したように、表示画像におけるフリッカーや液晶の焼き付きの発生を防止することができる。
【００７０】
また、パラメータＡは、上述したように、Ａ＝Ｖｔｈ／γと表され、定義エよりγ＝Ｃｓ／（Ｃｓ＋Ｃｄ−ｐｉｘ＋Ｃｌｃ＋Ｃｇｓ）であり、一方、パラメータＢは、Ｂ＝Ｖｇｈｌ×Ｃｇｓ／Ｃｓと表されるので、補助容量Ｃｓ（又は、Ｃｓ／Ｃｌｃ−ｏｎ）の値が変動すると、パラメータＡ、Ｂの値、及び、図７に示した表示信号電圧Ｖｓｉｇの振幅絶対値Ｖｄｐｐは、例えば、図８に示すような対応関係を有して変化する。よって、パラメータＡ、Ｂの値、及び、振幅絶対値Ｖｄｐｐを図８に基づいて適宜設定することにより、上記図７に示した対応関係を良好に維持することができ、液晶印加電圧Ｖｌｃに含まれる直流電圧成分を良好に省くことができる。
【００７１】
＜第２の実施形態＞
次に、本発明に係る表示駆動装置及びその駆動制御方法の第２の実施形態について説明する。
図９は、本発明に係る表示駆動装置を適用した液晶表示装置（液晶表示パネル）の第２の実施形態を示す要部平面図であり、図１０は、本実施形態に係る液晶表示装置におけるディスクリネーションの抑制効果を説明するための概念図である。ここで、上述した第１の実施形態と同等の構成については、適宜第１の実施形態の記載及び図面を参照して説明する。また、従来技術（図１５参照）と同等の構成については、同一の符号を付して、その説明を簡略化する。さらに、図１１は、本実施形態に係る液晶表示装置における寄生容量Ｃｄ−ｐｉｘの低減効果を説明するための概念図である。
【００７２】本実施形態においては、第１の実施形態（図１、図２参照）に示した液晶表示装置と同様に、各行の表示画素群への表示信号電圧の書込タイミングに対して所定時間だけ遅延した所定のタイミングで、補助容量ドライバ６０により各行の補助容量駆動ラインＬｃｓに補助容量駆動電圧Ｖｃｓを順次印加するＣｓライン駆動を実行するとともに、液晶表示パネル１０を構成する透明基板の最上層（液晶充填側の最上面）に、酸化スズ（ＳｎＯ２）膜やＩＴＯ（Ｉｎｄｉｕｍ−Ｔｉｎ−Ｏｘｉｄｅ：インジウム−スズ酸化物）膜等の透光性の導電膜からなる画素電極が形成された断面構造（ＴＯＰ−ＩＴＯ構造）を有し、かつ、従来技術（図１８参照）に示したように、補助電極に接続された補助容量駆動ラインＬｃｓが、データラインＤＬの下層に設けられ、その縁辺部が画素電極の下層にまで延在するように形成された断面構造（シールドＣｓ構造）を有している。
【００７３】すなわち、本実施形態に係る液晶表示パネルは、図９（ａ）に示すように、各表示画素Ｐｘは、従来技術（図１５参照）に示した構成と同様に、相互に直交するように配設された走査ライン（ゲートライン）ＳＬ及びデータライン（ドレインライン）ＤＬと、ゲート電極ＥＧが走査ラインＳＬに接続されるとともに、ドレイン電極ＥＤがデータラインＤＬに接続され、ソース電極ＥＳが画素電極ＥＰに接続された画素トランジスタＴＦＴと、を備え、さらに、本実施形態特有の構成として、図９（ｂ）に示すように、データラインＤＬの下層に絶縁膜を介して、補助容量Ｃｓを構成する補助電極ＥＡに接続された補助容量駆動ラインＬｃｓが形成され、該補助容量駆動ラインＬｃｓの縁辺部が、画素電極ＥＰの形成領域に平面的に重なるように形成された構成を有している。なお、図示を省略したが、各表示画素Ｐｘの画素電極ＥＰに対向するように、単一の共通電極が形成され、少なくとも各画素電極ＥＰと共通電極間に液晶分子が充填された構成を有している。
【００７４】
このような液晶表示パネルを備えた液晶表示装置において、第１の実施形態と同様に、走査ドライバ２０により各行の表示画素Ｐｘ群を選択状態に設定して、データドライバ３０により供給される表示信号電圧Ｖｓｉｇを各表示画素Ｐｘの画素電極ＥＰに印加する書込動作において、補助容量ドライバ６０により当該書込動作に対して所定時間だけ遅延したタイミングで、各表示画素Ｐｘの補助容量Ｃｓ（補助電極ＥＡ）に補助容量駆動ラインＬｃｓを介して、補助容量駆動電圧Ｖｃｓを印加すること（Ｃｓライン駆動）により、補助容量駆動ラインＬｃｓと、各表示画素Ｐｘの画素電極ＥＰに対向して共通に設けられた共通電極間に、画素電極ＥＰと共通電極間と同一の極性を有する電位差（同一方向の電界）が形成されることになる。
【００７５】
そのため、従来技術に示したシールドＣｓ構造を有する液晶表示パネルにおいては、図１８に示したように、接続ラインＣＬと共通電極ＥＣに同一のコモン信号電圧Ｖｃｏｍ（＝Ｖｃｓ）が印加されるように電圧制御されていたため、画素電極ＥＰと接続ラインＣＬ間に、画素電極ＥＰと共通電極ＥＣ間に生じる電界ＥＦａの方向とは異なる方向（逆方向）に電界ＥＦｂが形成されて横電界が発生し、ディスクリネーションが顕著に発生するという問題を有していたのに対して、本実施形態に係る液晶表示パネルにおいては、図１０に示すように、補助容量駆動ラインＬｃｓと共通電極ＥＣ間に、画素電極ＥＰと共通電極ＥＣ間に生じる電界ＥＦａの方向と同じ方向に電界ＥＦｃが形成されるので、画素電極ＥＰの縁端部においても、画素電極ＥＰと共通電極ＥＣ間が略均一な電位差を有するように電圧制御される。これにより、画素電極ＥＰと補助容量駆動ラインＬｃｓ間に横電界が発生することが抑制され、ディスクリネーションが生じにくくなる。
したがって、ディスクリネーションにより液晶分子ＬＣＭが配向不良となる領域（ディスクリネーションラインＢＬ）を遮光するための遮光領域（遮光膜）を、各表示画素Ｐｘ間の比較的小さな領域に形成すればよいことになるので、液晶表示パネル１０の開口率を向上させることができる。
【００７６】
また、本実施形態に係る液晶表示パネルに適用したシールドＣｓ構造によれば、図９（ａ）、（ｂ）に示したように、画素電極ＥＰとデータラインＤＬ間に補助容量駆動ラインＬｃｓが電気的に介在する構成を有しているので、画素電極ＥＰとデータラインＤＬ間に形成される寄生容量Ｃｄ−ｐｉｘの容量値が低減される。具体的には、図９（ｂ）に示した断面構造（シールドＣｓ構造）において、例えば、補助容量駆動ラインＬｃｓのライン幅を１４μｍ、データラインＤＬのライン幅を４μｍ、補助容量駆動ラインＬｃｓとデータラインＤＬ間に形成された層間絶縁膜（窒化シリコン膜）ＩＳａの膜厚（補助容量駆動ラインＬｃｓとデータラインＤＬの離間距離）を２５００Å、補助容量駆動ラインＬｃｓと画素電極ＥＰ間に形成された層間絶縁膜ＩＳａ、ＩＳｂの膜厚（補助容量駆動ラインＬｃｓと画素電極ＥＰの離間距離）を５０００Åとした場合、図１１に示すように、データラインＤＬから画素電極ＥＰまでの離間距離が増加するほど寄生容量Ｃｄ−ｐｉｘの容量値が低下する変化傾向（依存性）を示すとともに、液晶表示パネルの断面構造として、シールドＣｓ構造を適用しない場合（非シールドＣｓ構造）に比較して、データラインＤＬから画素電極ＥＰまでの離間距離に対する寄生容量Ｃｄ−ｐｉｘの容量値が顕著に低くなるという特性が得られた。
【００７７】
このように、データラインＤＬと画素電極ＥＰとの間に補助容量駆動ラインＬｃｓが介在することにより、画素電極ＥＰと補助容量駆動ラインＬｃｓとの間に電気的な結合が生じ、画素電極ＥＰとデータラインＤＬ間に形成される寄生容量Ｃｄ−ｐｉｘの容量値（すなわち、寄生容量Ｃｄ−ｐｉｘに蓄積される電荷量）を実質的に低減することができるので、垂直クロストークの影響を抑制して画像情報の表示状態を安定化することができ、表示画質の向上を図ることができる。
【００７８】
＜第３の実施形態＞
次に、本発明に係る表示駆動装置及びその駆動制御方法の第３の実施形態について説明する。
図１２は、画素トランジスタの構造による画素電極と補助容量駆動ラインとの離間距離の違いを説明するための概略断面図である。ここで、上述した第１及び第２の実施形態と同等の構成については、適宜第１及び第２の実施形態の記載及び図面を参照して説明する。
【００７９】
本実施形態においては、第１の実施形態に示した液晶表示装置と同様に、補助容量ドライバ６０により各行の補助容量駆動ラインＬｃｓに所定のタイミングで補助容量駆動電圧Ｖｃｓを順次印加するＣｓライン駆動を実行するとともに、第２の実施形態に示した液晶表示装置と同様に、画素電極ＥＰとデータラインＤＬ間に、補助電極ＥＡに接続された補助容量駆動ラインＬｃｓが電気的に介在するように形成されたシールドＣｓ構造を有し、さらに、各表示画素Ｐｘに設けられる画素トランジスタＴＦＴのゲート電極ＥＧが、該画素トランジスタＴＦＴを構成する半導体層の上層側に設けられたトップゲート構造を有するように構成されている。
【００８０】
すなわち、図９に示したような構成を有する液晶表示パネルにおいては、例えば、図１２（ａ）に示すように、画素電極ＥＰに接続される画素トランジスタＴＦＴのゲート電極ＥＧが、該画素トランジスタＴＦＴの半導体層ＳＭＣの上層側に設けられたトップゲート構造と、図１２（ｂ）に示すように、画素トランジスタＴＦＴのゲート電極ＥＧが、該画素トランジスタＴＦＴの半導体層ＳＭＣの下層側に設けられたボトムゲート構造のいずれかが適用される。ここで、いずれのゲート構造においても、一般に、ゲート電極ＥＧと補助容量駆動ラインＬｃｓが同一の製造プロセスで形成され、同一層に設けられるため、図１２（ａ）、（ｂ）に示すように、ボトムゲート構造を有する画素トランジスタを適用した構成に比較して、トップゲート構造を有する画素トランジスタＴＦＴを適用した構成の方が、補助容量駆動ラインＬｃｓと画素電極ＥＰとの間の離間距離をより短縮することができる。
【００８１】
このように、トップゲート構造を適用することにより、データラインＤＬと画素電極ＥＰ間に介在するように形成された補助容量駆動ラインＬｃｓと、画素電極間の電気的な結合をより緊密にして、画素電極ＥＰとデータラインＤＬ間に形成される寄生容量Ｃｄ−ｐｉｘの容量値を低減することができるので、垂直クロストークの影響を抑制して、画像情報の表示状態を安定化することができるとともに、ディスクリネーションの発生を抑制して、液晶表示パネル１０の開口率を一層向上させることができる。
【００８２】
【発明の効果】
以上、説明したように、本発明に係る表示駆動装置及びその駆動制御方法によれば、対向する透明基板間に液晶分子が充填、保持された液晶表示パネルを備えた液晶表示装置に適用される表示駆動装置において、各行の表示画素を順次選択状態に設定して、表示データに応じた表示信号電圧を印加する書込動作の際に、第１のタイミング（書込期間）で、選択状態に設定された行の表示画素に設けられた画素容量（画素電極）に表示信号電圧を印加するとともに、共通電極に一定電圧からなるコモン信号電圧を印加し、また、表示画素に設けられた補助容量（補助電極）に、第１のタイミングと、及び、該第１のタイミングから上記選択期間の所定倍数（例えば、２倍）の時間だけ遅延した第２のタイミングとで異なる変動幅で変化する、補助容量駆動電圧を印加するＣｓライン駆動を実行することにより、当該書込期間に発生したフィールドスルー電圧を抑制するように、補助容量に蓄積された電荷量を制御することができるので、画素電極電圧の信号極性の偏りを低減することができ、画素容量Ｃｌｃに充填された液晶分子への直流電圧成分の印加を抑制して、表示画像におけるフリッカーや液晶の焼き付きの発生を抑制することができる。
【００８３】
また、本発明に係る表示駆動装置及びその駆動制御方法においては、液晶印加電圧が、表示信号電圧と液晶分子のしきい値電圧との和からなる電圧値に設定され、また、補助容量に印加される補助容量駆動電圧の変動幅に対して、上記しきい値電圧と補助容量の容量値とが相互に依存関係に設定されることにより、表示信号電圧として、上記しきい値電圧分を省いた電圧に小さく設定することができる。ここで、表示信号電圧は、垂直クロストークの発生に関連するデータラインと画素電極間に形成される寄生容量の容量値を規定するので、該表示信号電圧を小さく設定することにより、該電圧変動量も相対的に小さくすることができ、垂直クロストークの影響を抑制して画像情報の表示状態を安定化させることができる。
【００８４】
また、本発明に係る表示駆動装置においては、表示画素に設けられた補助容量を構成する補助電極に接続された補助容量駆動ラインを、データラインの下層に設け、かつ、その縁辺部を画素容量を構成する画素電極の下層にまで延在するように形成したシールドＣｓ構造を有する表示パネルを適用することにより、画素電極とデータライン間に補助容量駆動ラインが電気的に介在する構成が形成され、かつ、補助容量駆動ラインと共通電極間に、画素電極と共通電極間に形成される電界と同一の極性及び電位差を有する電界が形成されることにより、画素電極と補助容量駆動ライン間に生じる横電界に起因するディスクリネーション（液晶分子の配向不良）の発生が抑制される。したがって、ディスクリネーション対策として施される遮光領域の面積を縮小することができるので、液晶表示パネルの開口率を向上させることができる。
【００８５】
さらには、上記シールドＣｓ構造を有する表示パネルに加え、各表示画素に設けられた画素トランジスタとして、ゲート電極が該画素トランジスタの半導体層の上層側に設けられたトップゲート構造を適用することにより、補助容量駆動ラインと画素電極との間の離間距離をより短縮することができるので、相互の電気的な結合をより緊密にすることができ、画素電極とデータライン間に形成される寄生容量の容量値を低減することができる。したがって、垂直クロストークの影響を抑制して、画像情報の表示状態を安定化することができるとともに、ディスクリネーションの発生を抑制して、液晶表示パネルの開口率を一層向上させることができる。
【図面の簡単な説明】
【図１】本発明に係る表示駆動装置を適用した液晶表示装置の第１の実施形態を示す概略構成図である。
【図２】本実施形態に係る液晶表示装置に適用される液晶表示パネルの一例を示す等価回路図である。
【図３】本実施形態に係る液晶表示装置の駆動制御方法の一例を示すタイミングチャートである。
【図４】ＴＮ液晶の光学特性（印加電圧に対する光透過率の変化）の一例を示す特性図である。
【図５】液晶の容量特性（印加電圧に対する液晶容量の変化）の一例を示す特性図である。
【図６】本実施形態に係る駆動制御方法において液晶印加電圧を規定するγ値の印加電圧に対する変化特性の一例を示す特性図である。
【図７】本実施形態に係る駆動制御方法において設定される液晶印加電圧と表示信号電圧との対応関係の一例を示す図である。
【図８】本実施形態に係る駆動制御方法において設定される各パラメータと補助容量との対応関係の一例を示す図である。
【図９】本発明に係る表示駆動装置を適用した液晶表示装置（液晶表示パネル）の第２の実施形態を示す要部平面図である。
【図１０】本実施形態に係る液晶表示装置におけるディスクリネーションの抑制効果を説明するための概念図である。
【図１１】本実施形態に係る液晶表示装置における寄生容量Ｃｄ−ｐｉｘの低減効果を説明するための概念図である。
【図１２】画素トランジスタの構造による画素電極と補助容量駆動ラインとの離間距離の違いを説明するための概略断面図である。
【図１３】従来技術における薄膜トランジスタ（ＴＦＴ）型の液晶表示装置の概略構成を示すブロック図である。
【図１４】従来技術における液晶表示パネルの一例を示す等価回路図である。
【図１５】液晶表示パネルにおける構成例を示す要部平面図である。
【図１６】各表示画素に形成される容量成分を示す等価回路である。
【図１７】フィールド反転駆動方式により液晶表示パネルの所定の行（表示画素群）に、表示データに応じた表示信号電圧を書き込む場合の駆動電圧波形を示す図である。
【図１８】従来技術における垂直クロストークを抑制するための液晶表示パネルの構成例を示す概略断面図である。
【符号の説明】
１０      液晶表示パネル
２０      走査ドライバ
３０      データドライバ
４０      ＬＣＤコントローラ
５０      表示信号生成回路
６０      補助容量ドライバ
Ｐｘ      表示画素
ＴＦＴ    画素トランジスタ
Ｃｌｃ      画素容量
Ｃｓ      補助容量
ＳＬ      走査ライン
ＤＬ      データライン
Ｌｃｓ      補助容量駆動ライン
【図１】
2004240263.tif 000007
【図２】
2004240263.tif 000008
【図３】
2004240263.tif 000009
【図４】
2004240263.tif 000010
【図５】
2004240263.tif 000011
【図６】
2004240263.tif 000012
【図７】
2004240263.tif 000013
【図８】
2004240263.tif 000014
【図９】
2004240263.tif 000015
【図１０】
2004240263.tif 000016
【図１１】
2004240263.tif 000017
【図１２】
2004240263.tif 000018
【図１３】
2004240263.tif 000019
【図１４】
2004240263.tif 000020
【図１５】
2004240263.tif 000021
【図１６】
2004240263.tif 000022
【図１７】
2004240263.tif 000023
【図１８】
2004240263.tif 000024